(57)【要約】【目的】  現在の、刑務所や病院等の管理下に置かれている人々に対する、差入れのための窓口業務手続きの大部分を、インターネットサーバー上に移行することにより、現在必要とされている差入れのための人的要員や、差入れ実態を管理するための経費（コスト）を大幅に軽減するとともに、遠隔地居住者や高齢者などの差入れをしようとする人々も、その都度足を運ぶ必要もないなど、その労力を大幅に軽減し、合わせて入所者の福利厚生にも寄与することを目的とする。【構成】  入所者管理等を要する施設管理者（１）、同管理者によって管理される被管理人（２）、同人（２）に対して金品差入れ等を実施する業者（３）、同業者（３）によって被管理人（２）に対して差入れをしようとする差入れ者（４）、これら（１）（３）（４）を端末とするインターネットサーバー（５）からなる、金品差入れ等のためのシステム及び方法。【選択図】図１
2010009560.tif 000002
【特許請求の範囲】
【請求項１】
入所者管理等を要する施設管理者（１）、同管理者によって管理される被管理人（２）、同人（２）に対して金品差入れ等を実施する業者（３）、同業者（３）によって被管理人（２）に対して差入れをしようとする差入れ者（４）、これら（１）（３）（４）を端末とするインターネットサーバー（５）からなる、金品差入れ等のためのシステム及び方法。
【発明の詳細な説明】
【技術分野】
【０００１】  本発明は、刑務所や病院等の管理下に置かれている人々に対する差入れ業務の管理経費（コスト）や、差入れ者の労力を低減する等のための、インターネット産業に利用できるものである。
【背景技術】
【０００２】  従来、特定業者と不特定者間の、インターネットシステムにおける物品購入や、商品の発送等の技術はあるが、本発明のような技術は見当たらなかった。
【発明が解決しようとする課題】
【０００３】  現在の、刑務所や病院等の管理下に置かれている人々に対する差入れ業務は、対人窓口業務であるため、このための人的要員や、差入れ実態を管理するための経費（コスト）は多大である。
また、差入れをしようとする人々も、郵送は不可のため、その都度足を運ばなければならず、遠隔地居住者や高齢者の場合など、その労力も多大である。
本発明は、かかる課題を解決しようとするものである。
【課題を解決するための手段】
【０００４】  入所者管理等を要する施設管理者（１）、同管理者によって管理される被管理人（２）、同人（２）に対して金品差入れ等を実施する業者（３）、同業者（３）によって被管理人（２）に対して差入れをしようとする差入れ者（４）、これら（１）（３）（４）を端末とするインターネットサーバー（５）からなる、金品差入れ等のためのシステム及び方法。
【作用】
【０００５】  入所者管理等を要する施設管理者（１）、同管理者によって管理される被管理人（２）、同人（２）に対して金品差入れ等を実施する業者（３）、同業者（３）によって被管理人（２）に対して差入れをしようとする差入れ者（４）のうち、（１）（３）（４）が、インターネットサーバー（５）によって接続されることにより、差入れのための窓口業務手続きの大部分が同サーバー上に移行するため、現在必要とされている差入れのための人的要員や、差入れ実態を管理するための経費（コスト）を大幅に軽減するとともに、差入れ者（４）が、その都度足を運ぶ必要もなくなることから、遠隔地居住者や高齢者等の差入れ労力を大幅に軽減する作用を有し、以って被管理人（２）の福利厚生を向上する作用をも有するものである。
【実施例】
【０００６】  以下本発明の実施例について説明する。
（イ）  入所者管理等を要する施設管理者（１）、同管理者によって管理される被管理人（２）、同人（２）に対して金品差入れ等を実施する業者（３）、同業者（３）によって被管理人（２）に対して差入れをしようとする差入れ者（４）のうち、（１）（３）（４）を、インターネットサーバー（５）によって接続するが、まずインターネット上に設けられた同サーバー（５）に、入所者管理等を要する施設管理者（１）、同管理下における被管理人（２）に対して金品等を差入れする業者（３）は、登録手続きを行う。
このとき共有される情報（ア）は、それぞれの▲１▼所在地、▲２▼名称、▲３▼連絡先（電話番号・メールアドレス・責任者・担当等）、ならびに▲４▼前記差入れする業者（３）の取扱い品目、▲５▼前記施設管理者（１）の入所者識別番号（Ａ）等であるが、（１）（２）（３）が共有する識別符号（パスワード）（Ｂ）によらなければ、前記インターネットサーバー（５）は稼動しないものとする。
この条件下において、前記差入れ者（４）は、前記インターネットサーバー（５）に接続し、▲１▼住所・氏名・生年月日（年齢）、▲２▼連絡先（電話番号・メールアドレス等）、▲３▼続柄、▲４▼前記識別符号（パスワード）（Ｂ）又は▲５▼入所者である被管理人（２）の氏名、等の差入れ者情報（イ）を入力する。
このとき、同入力情報（イ）が、あらかじめ被管理人（２）が前記施設管理者（１）を通じて前記サーバー（５）に事前登録済みの、前記識別符号（パスワード）（Ｂ）を提供してもよいとする、許諾差入れ者情報（イ′）と一致する場合には、前記差入れ者（４）に対して前記入所者識別番号（Ａ）を通報し、または、未許諾の前記差し入れ者情報（イ）を被管理人（２）が同意した場合には、前記差入れ者（４）に対して、同入所者識別番号（Ａ）と前記識別符号（パスワード）（Ｂ）を通報することによって、同差入れ者（４）は、同入所者識別番号（Ａ）と識別符号（パスワード）（Ｂ）を、前記サーバー（５）に入力することによって同サーバー（５）を稼動させ、差入れるべき品目数量、支払い方法等、所定項目を指定入力する。
前記差入れする業者（３）は、その指定された品目数量を調達して差入れを行い、前記施設管理者（１）は、かかる実態記録を自動的に管理するとともに、同差入れの完了（受領）を入力、差入れ者（４）に通報する。
代金の決済については、同差入れする業者（３）の指定口座振込み（振り込み確認後差し入れ）ないしは、差入れ者（４）のクレジット払いなどとする。
（ロ）  前記（イ）の実施例において、差入れ品目に「現金」を付加することも可能であり、代金の決済同様、同差入れする業者（３）の指定口座（銀行等）（６）振込み（振り込み確認後引きおろして差し入れ）ないしは、差入れ者（４）のクレジット口座（７）払い（引きおろして差し入れ）などとする。
（ハ）  前記（イ）の実施例において、銀行口座開設名義人を前記施設管理者（１）とし、かつ使用名義人を被管理人（２）とする「条件付銀行口座」（８）を開設し、同施設管理者（１）が保管管理する「同口座」（８）のキャッシュカードまたは通帳を用意する。
そして同口座番号（銀行等）を同サーバー（５）に開示し、前記差入れ者（４）が入金すれば、入金金額の限度内において、同施設管理者（１）が管理保管する同口座（８）のキャッシュカードまたは通帳により、被管理人（２）は、同人が希望する購入品目を申告（記載）して前記差入れする業者（３）から購入する。
（ニ）  本実施例においては、金品の差入れに限らず、メールによる通信も可能である。
【発明の効果】
【０００７】  本発明により、現在の、刑務所や病院等の管理下に置かれている人々に対する、差入れのための窓口業務手続きの大部分が同サーバー上に移行するため、現在必要とされている差入れのための人的要員や、差入れ実態を管理するための経費（コスト）が大幅に軽減されるとともに、差入れをしようとする人々も、その都度足を運ぶ必要もなくなることから、遠隔地居住者や高齢者などの差入れ労力も大幅に軽減され、合わせて入所者の福利厚生にも寄与する効果がある。
【図面の簡単な説明】
【０００８】
【図１】  本発明実施例（イ）（ロ）（ハ）のシステム及び方法図である。
【符号の説明】
【０００９】  １  入所者管理等を要する施設管理者
２  被管理人
３  金品差入れ等を実施する業者
４  差入れ者
５  インターネットサーバー
６  差入れする業者（３）の指定口座（銀行等）
７  差入れ者（４）のクレジット口座
８  施設管理者（１）が保管管理する「条件付銀行口座」
ア  インターネットサーバー（５）における（１）（３）の共有情報
イ  差入れ者情報
イ′許諾差入れ者情報
Ａ  入所者識別番号
Ｂ  識別符号（パスワード）
【図１】
2010009560.tif 000003